【手続補正書】
【提出日】平成23年10月24日(2011.10.24)
【手続補正１】
【補正対象書類名】特許請求の範囲
【補正対象項目名】全文
【補正方法】変更
【補正の内容】
【特許請求の範囲】
【請求項１】
加入者識別モジュール（ＳＩＭ）を作動して個人化する方法であって、前記加入者識別モジュール（ＳＩＭ）が、最初の作動の前に、予備の初期識別および認証パラメータセット（Ｓ＊）を具備し、前記パラメータセット（Ｓ＊）が、少なくとも１つの予備の加入者識別（ＩＭＳＩ＊）および秘密鍵（Ｋ＊）を含み、前記パラメータセット（Ｓ＊）が、移動無線端末を用いた、移動遠隔通信ネットワークでの前記加入者識別モジュール（ＳＩＭ）の最初の作動を可能にし、
前記加入者識別モジュール（ＳＩＭ）の最初の作動の後に、個別であり最終の加入者データセット（Ｓ）を前記加入者識別モジュール（ＳＩＭ）に伝送して格納することによって個人化が行われ、この加入者データセット（Ｓ）が、一意の最終の加入者識別（ＩＭＳＩ）および秘密鍵（Ｋ）を含む、方法において、
前記予備の加入者識別（ＩＭＳＩ＊）、前記秘密鍵（Ｋ＊）並びに前記予備の初期識別および認証パラメータセット（Ｓ＊）が非個別であり、生成可能な非個別であり予備の加入者データセット（Ｓ＊）の数が固定され、これらのデータセット（Ｓ＊）を具備する加入者識別モジュール（ＳＩＭ）の総数よりも少ない結果、常に、等しい予備データ（Ｓ＊）を備えた複数の加入者識別モジュール（ＳＩＭ）があり、予備の加入者識別（ＩＭＳＩ＊）各々は一意でなく、複数の加入者識別モジュール（ＳＩＭ）に暫定的に同時に割り当てられることを特徴とする方法。
【請求項２】
前記最初の作動によって、前記移動遠隔通信ネットワーク内部で個人化サーバ（ＰＳ）への接続がセットアップされ、特に前記非個別であり予備の加入者データ（Ｓ＊）を使用して、個人化のための前記個別であり最終の加入者データセット（Ｓ）が前記個人化サーバ（ＰＳ）で生成されて、前記加入者識別モジュール（ＳＩＭ）に伝送されることを特徴とする請求項１に記載の方法。
【請求項３】
個人化が行われる前に、前記加入者識別モジュール（ＳＩＭ）のシリアル番号（ＩＣＣＩＤ）、および／または前記移動無線端末を明確に識別することができる装置識別番号（ＩＭＥＩ）が検査されること、ならびに前記加入者識別モジュール（ＳＩＭ）のさらなるセキュリティパラメータの審査が行われること、の少なくとも一方を特徴とする請求項１または２に記載の方法。
【請求項４】
前記最終の加入者データセット（Ｓ）が、前記予備セット（Ｓ＊）を使用して前記移動遠隔通信システムの通常の接続を介して伝送されることを特徴とする請求項１に記載の方法。
【請求項５】
少なくとも１つの非個別であり予備の加入者識別（ＩＭＳＩ＊）および非個別であり予備の秘密鍵（Ｋ＊）を含む前記非個別であり予備の加入者データセット（Ｓ＊）が、前記加入者識別モジュール（ＳＩＭ）の初期具備中に周期的に再使用され、特に、個別であり最終の加入者データ（Ｓ）によって前記加入者識別モジュール（ＳＩＭ）が既に個人化されているかどうか、またはどれだけの前記加入者識別モジュール（ＳＩＭ）が既に個人化されているかには関係しないことを特徴とする請求項１に記載の方法。
【請求項６】
前記加入者識別モジュール（ＳＩＭ）の製造の範囲内で、割り当てられたデータを転送または格納しないことを特徴とする請求項１に記載の方法。
【請求項７】
前記個人化中に生成される前記加入者データセット（Ｓ）および関連の加入者データが、前記加入者識別モジュール（ＳＩＭ）の最初の作動までホームレジスタ（ＨＬＲ）に格納されないことを特徴とする請求項１に記載の方法。
【請求項８】
前記加入者識別モジュール（ＳＩＭ）での前記個別であり最終の加入者データセット（Ｓ）の受信と格納後に、前記移動無線端末から前記移動遠隔通信ネットワークに確認応答が伝送されること、特に、前記加入者データセット（Ｓ）を使用して前記移動無線端末のウォームスタートが行われることを特徴とする請求項１に記載の方法。
【請求項９】
前記非個別であり予備のパラメータセット（Ｓ＊）による最初の作動中に、前記予備の加入者識別（ＩＭＳＩ＊）によって与えられた加入者関係が、ネットワーク側で「使用中」ステータスに設定され、前記ステータスの期間中、限られた使用のみが解除され、前記個別であり最終の加入者データセット（Ｓ）による前記加入者識別モジュール（ＳＩＭ）の個人化が完了した後に、前記予備の加入者識別（ＩＭＳＩ＊）によって与えられた加入者関係が、「解除」ステータスに設定され、これにより、前記予備の加入者識別（ＩＭＳＩ＊）によって与えられる加入者関係を別の加入者識別モジュール（ＳＩＭ）で新規に使用できるようになることを特徴とする請求項１に記載の方法。
【請求項１０】
個人化のために前記移動遠隔通信ネットワークに既にログインされた第１の加入者識別モジュール（ＳＩＭ）と同一の予備の加入者識別（ＩＭＳＩ＊）を有する１つ以上のさらなる加入者識別モジュール（ＳＩＭ）の作動試行が行われた場合に、待ち行列に並べられ、時系列に従った作動試行の処理が行われることを特徴とする請求項１に記載の方法。
【請求項１１】
個人化のために前記移動遠隔通信ネットワークに既にログインされた第１の加入者識別モジュール（ＳＩＭ）と同一の予備の加入者識別（ＩＭＳＩ＊）を有する１つ以上のさらなる加入者識別モジュール（ＳＩＭ）の作動試行が行われた場合に、個人化プロセスのブロック（個人化データの不在）が生じるとそれが前記加入者識別モジュール（ＳＩＭ）によって認識され、個人化要求が自動的に反復されることを特徴とする請求項１に記載の方法。
【請求項１２】
個人化のために前記移動遠隔通信ネットワークに既にログインされた第１の加入者識別モジュール（ＳＩＭ）と同一の予備の加入者識別（ＩＭＳＩ＊）を有する１つ以上のさらなる加入者識別モジュール（ＳＩＭ）の作動試行が行われた場合に、個人化データの宛先間違いが生じるとそれが前記加入者識別モジュール（ＳＩＭ）によって認識され、データが廃棄され、個人化要求が自動的に反復されることを特徴とする請求項１に記載の方法。
【請求項１３】
前記移動無線端末から前記移動遠隔通信ネットワークへの確認応答が行われない場合に、前記個人化データの新規の伝送が自動的に行われることを特徴とする請求項８に記載の方法。
【請求項１４】
前記ホームレジスタ（ＨＬＲ）への前記最終の加入者データセット（Ｓ）の格納が、前記移動無線端末から前記移動遠隔通信ネットワークへの確認応答後まで行われないことを特徴とする請求項８または１３に記載の方法。
【請求項１５】
前記ホームレジスタ（ＨＬＲ）での前記最終の加入者データセット（Ｓ）によって特徴付けられる加入者関係（加入）の有効化および／または解除が、前記移動無線端末から前記移動遠隔通信ネットワークへの確認応答後まで行われないことを特徴とする請求項８または１３に記載の方法。
【請求項１６】
前記ホームレジスタ（ＨＬＲ）内の前記最終の加入者データセット（Ｓ）が、予め短期間もたらされることを特徴とする請求項１に記載の方法。
【請求項１７】
前記ホームレジスタ（ＨＬＲ）内の前記最終の加入者データセット（Ｓ）によって特徴付けられる前記加入者関係（加入）が、予め短期間もたらされることを特徴とする請求項１に記載の方法。
【請求項１８】
前記ホームレジスタ（ＨＬＲ）内の前記最終の加入者データセット（Ｓ）によって特徴付けられる加入者関係（加入）が、特定のサービス制限を課されることを特徴とする請求項１に記載の方法。
【請求項１９】
前記加入者識別モジュール（ＳＩＭ）に特別なプロパティおよび／またはサービスを提供するためのさらなるロード操作が、個人化の完了後に自動的に行われることを特徴とする請求項１に記載の方法。
【請求項２０】
個人化の完了後、顧客との機械的または人為的ダイアログが、好ましくは前記移動無線端末を介して自動的に開始されて、顧客データおよび／または所望のサービスなどを決定し、特に特定のサービス制限がある場合にはそれが前記決定の後まで取り除かれないことを特徴とする請求項１に記載の方法。